(57)【特許請求の範囲】
【請求項１】
バッテリー用ガス抜き穴を有する筐体と、
該筐体に取り外し可能に装着されるカバーと、
該カバーに取り付けられた第１ロッドと、
該第１ロッドの先端に着脱可能に継ぎ足しされた第２ロッドとを具備し、
前記第１ロッドは、バッテリーが前記筐体内に内蔵されている場合に、該第１ロッドの先端が前記バッテリーに当接する長さを有しており、
前記第２ロッドは、バッテリーが前記筐体内に内蔵されていない場合に、前記第１ロッドに継ぎ足された状態で前記ガス抜き穴を塞ぐことが可能な長さを有していることを特徴とする通信装置の筐体構造。
【請求項２】
互に離間した複数の係合突起を有する環状パッキンと、
前記筐体のカバー取付面に形成された環状溝と、
前記環状溝を画成する前記筐体の壁面に前記係合突起と同一間隔で形成された複数の切欠とをさらに具備し、
前記環状パッキンが前記環状溝中に挿入されるとともに前記各係合突起が前記各切欠に係合していることを特徴とする請求項１記載の通信装置の筐体構造。
【請求項３】
前記筐体はケーブル導入部にテーパを具備した穴を有しており、前記カバーもケーブル導入部にテーパを具備した穴を有しており、
前記筐体及び前記カバーの穴内にケーブル挿入穴を有する本体とリング部からなる筒形状のゴムブッシュアセンブリを取り付け、該本体の穴内にケーブルを挿入し、前記カバーを前記筐体に対して締結することにより前記ゴムブッシュアセンブリを変形させてケーブル導入部の防水を行うことを特徴とする請求項２記載の通信装置の筐体構造。
【発明の詳細な説明】
【０００１】
【発明の属する技術分野】
本発明は、例えばＰＨＳ（パーソナル・ハンディフォン・システム）の無線アクセス系を構成する公衆基地局等の屋外設置型通信装置の筐体構造に関する。
【０００２】
【従来の技術】
図１は窓カバー６を開けた状態の従来の通信装置の筐体構造を示す斜視図であり、筐体はアンダーカバー２と、フロントカバー４と、窓カバー６とからなる三分割構造となっている。符号８は窓カバー６開閉用のステーであり、１０は窓固定ピン、１２はステー収納ピンである。
【０００３】
アンダーカバー部２にはＲＦ系部品が実装されており、フロントカバー部４には制御系及び電源が実装されており、窓カバー部６にはバッテリー６が実装され更に外線ケーブルが接続される。この窓カバー部６は工事作業により開閉される操作部である。
【０００４】
図２は窓カバー部６を閉じた状態の従来の筐体構造斜視図を示しており、サンシェードとして作用する本体カバー１６が取り付けられる。このような通信装置は、例えば電柱等に設置される。
【０００５】
この通信装置は屋外設置型であるため、装置をできるだけ密封し内部に容易に雨水等が入らないようにするために、図３に示すようにＯリング等の環状パッキン２０を環状溝１８中に取りつけて防水構造を達成している。
【０００６】
しかし、工事作業者が装置を設置する際には窓カバー６の開閉作業が不可欠であるため、取り扱い説明書等により作業手順及び防水に対する注意事項等を記載しているが、防水性能を十分に満足していない状況が発生している。
【０００７】
図４はケーブル導入部２２（表面側）を示す斜視図であり、図５はケーブル導入部の裏面側を示している。ケーブル導入部２２には、電源ケーブル引き込み口２４、ＦＧケーブル引き込み口２６及び一対の通信ケーブル引き込み口２８が設けられている。
【０００８】
図５に示すように、電源ケーブル引き込み口２４には電源ケーブル３０が挿入され、ＦＧケーブル引き込み口２６にはＦＧケーブル３２が挿入され、通信ケーブル引き込み口２８にはＩＳＤＮ  Ｉ／Ｆ用等の通信ケーブル３４が挿入される。
【０００９】
図６（Ａ）はケーブル導入部２２の平面図であり、図６（Ｂ）は図６（Ａ）の６Ｂ−６Ｂ線断面図である。図６（Ｂ）及び図８に示すように、フロントカバー４上に一対の押さえ板３８と一対のカバー４０が重ねられ、複数のねじ４４で互いに締結される。
【００１０】
カバー４０には電源ケーブル引き込み口２４、ＦＧケーブル引き込み口２６及び一対の通信ケーブル引き込み口２８が設けられている。これらの引き込み口は押さえカバー３８及びフロントカバー４にもそれぞれ対応した位置に設けられている。符号３６はＯリングである。
【００１１】
図７を参照して、ケーブル導入の作業手順について説明する。まず、図７（Ａ）に示すように、ねじ４４を緩め、各ケーブル引き込み口から防水栓４２を取り除く。
【００１２】
次いで、図７（Ｂ）に示すように、各ケーブル引き込み口に電源ケーブル３０等のケーブルを引き込み、ねじ４４を締め付ける。この状態が図６（Ｂ）に示されている。
【００１３】
【発明が解決しようとする課題】
上述したような従来の屋外設置型通信装置の筐体構造であると、工事作業による窓カバー６の開閉時、防水用の環状パッキン２０が窓カバー６の裏面に付着し、環状溝１８から抜け出ることがある。
【００１４】
このような時には作業者が環状パッキン２０を環状溝１８中に再度挿入するが、きちんと挿入されていない場合があり、防水不良を起こしているという問題がある。
【００１５】
工事作業によるケーブル引き込み時、Ｏリング３６の内側にケーブルを通し押さえ板３８及びカバー４０で固定するが、ケーブル挿入時及びケーブルの長さ調整時にＯリング３６の内側が図６（Ｂ）に３６ａで示すようにめくれ上がる現象が起き、防水不良を起こしているという問題がある。
【００１６】
特に図示しないが、アンダーカバー部２にはバッテリー用のガス抜き穴が設けられている。このガス抜き穴には防水シートをはって水分等の防水はしているが、湿った空気は防水シートを透過するため、通信装置の保管期間が長期にわたる場合、結露の原因となる問題がある。
【００１７】
本発明はこのような点に鑑みて為されたものであり、その目的とするところは、設置工事の如何に係わらず十分な防水性能を維持できると共に装置の結露を十分に抑制できる屋外設置型通信装置の筐体構造を提供することである。
【００１８】
【課題を解決するための手段】
本発明によると、バッテリー用ガス抜き穴を有する筐体と、該筐体に取り外し可能に装着されるカバーと、該カバーに取り付けられた第１ロッドと、該第１ロッドの先端に着脱可能に継ぎ足しされた第２ロッドとを具備し、前記第１ロッドは、バッテリーが前記筐体内に内蔵されている場合に、該第１ロッドの先端が前記バッテリーに当接する長さを有しており、前記第２ロッドは、バッテリーが前記筐体内に内蔵されていない場合に、前記第１ロッドに継ぎ足された状態で前記ガス抜き穴を塞ぐことが可能な長さを有していることを特徴とする通信装置の筐体構造が提供される。
【００１９】
好ましくは、前記筐体はケーブル導入部にテーパを具備した穴を有しており、前記カバーもケーブル導入部にテーパを具備した穴を有しており、前記筐体及び前記カバーの穴内にケーブル挿入穴を有する本体とリング部からなる筒形状のゴムブッシュアセンブリを取り付け、該本体の穴内にケーブルを挿入し、前記カバーを前記筐体に対して締結することにより前記ゴムブッシュアセンブリを変形させてケーブル導入部の防水を行うようにする。
【００２１】
【発明の実施の形態】
図９を参照すると、本発明実施形態の分解斜視図が示されている。通信装置は筐体４８と、筐体４８に固定されるカバーアセンブリ５０との２分割構造となっている。カバーアセンブリ５０はカバー５２と、カバー５２に固定されるサンシェード５４とから構成される。
【００２２】
筐体４８内には、ＲＦ系、制御系、電源及びバッテリー１４等の通信装置を構成する全ての部品が実装されている。カバーアセンブリ５０は、ケーブル接続及びバッテリー実装時に工事作業により開閉される操作部分である。
【００２３】
図１０に示すように、環状パッキン５６は互いに離間した複数の係合突起５８を有している。筐体４８のカバー取りつけ面には環状パッキン５６を受け入れる環状溝６０が形成されている。環状溝６０を画成する筐体の壁面には環状パッキン５６の係合突起５８と同一間隔で複数の切欠６２が形成されている。
【００２４】
環状パッキン５６の取りつけは、環状パッキン５６を筐体４８の環状溝６０中に挿入するとともに、環状パッキン５６の各係合突起５８を各切欠６２に合わせて手で押し込んで係合させる。
【００２５】
図１１（Ａ）は図１０のＡ部分の拡大図であり、図１１（Ｂ）は環状パッキン５６を環状溝６０中に挿入した状態の拡大図である。パッキン５６の係合突起５８と筐体４８の切欠部６２との係合を確実にするために、筐体内壁とパッキン５６の係合突起５８とを接着しても良い。
【００２６】
次に、図１２乃至図１６を参照して、ケーブルの筐体４８内への導入について説明する。図１２はケーブルの導入を説明する斜視図、図１３はケーブル導入作業説明図、図１４はケーブル導入部の平面図、図１５は図１４の１５−１５線断面図、図１６は図１４の１６−１６線断面図である。
【００２７】
図１５及び図１６に最も良く示されるように、ケーブル導入部６４の筐体４８には通信ケーブル導入穴６６と、電源ケーブル導入穴６８が形成されている。カバー７０には筐体４８の通信ケーブル導入穴６６に対応して通信ケーブル導入穴７４が形成されており、更に、筐体４８の電源ケーブル導入穴６８に対応して電源ケーブル導入穴７６が形成されている。
【００２８】
筐体４８の通信ケーブル導入穴６６はテーパ部６６ａを有しており、電源ケーブル導入穴６８もテーパ部６８ａを有している。また、カバー７０の通信ケーブル導入穴７４もテーパ部７４ａを有しており、電源ケーブル導入穴７６もテーパ部７６ａを有している。
【００２９】
筐体４８とカバー７０の間には板７２が介装されており、この板７２にも通信ケーブル導入穴及び電源ケーブル導入穴に対応する位置に同様な直径を有する穴が形成されている。
【００３０】
図１５（Ａ）に示すように、通信ケーブル導入穴６６，７４中には筒状ゴムブッシュアセンブリ７８が挿入されている。筒状ゴムブッシュアセンブリ７８は穴８４を有するブッシュ本体８０と、ブッシュ本体８０に取り付けられたリング部８２とから構成される。ブッシュ本体８０の穴８４中には防水栓９４が挿入されている。
【００３１】
更に、図１６（Ａ）に示すように、電源ケーブル導入穴６８，７６中には筒状のゴムブッシュアセンブリ８６が挿入されている。筒状ゴムブッシュアセンブリ８６は穴９２を有するブッシュ本体８８と、ブッシュ本体８８に取り付けられたリング部９０とから構成される。ブッシュ本体８８の穴９２中には防水栓９６が挿入されている。
【００３２】
カバー７０が複数のねじ９８により筐体４８に固定される。板７２はねじ９８の抜け防止用として筐体４８とカバー７０との間に介装されている。
【００３３】
次に図１３を参照して、ケーブル導入の作業手順について説明する。まず、図１３（Ａ）に示すようにねじ９８を緩め、防水栓９４，９６を取り除く。次いで、図１３（Ｂ）に示すようにゴムブッシュアセンブリ８６の穴９２中に電源ケーブル３０を引き込み（図１６（Ｂ）参照）、ねじ９８を締め付ける。
【００３４】
通信ケーブルについても同様に、防水栓９４を取除いた後、ゴムブッシュアセンブリ７８の穴８４中に通信ケーブル３４を引き込み（図１５（Ｂ）参照）、ねじ９８を締め付ける。
【００３５】
ゴムブッシュアセンブリ７８，８６に設けられた穴中にケーブルを挿入する際、ゴムブッシュはカバー７０が取り付けられているため抜けることはない。また、ケーブル長さ調整時にゴムブッシュアセンブリ７８，８６が筒状のため、めくれることはない。
【００３６】
ケーブル導入完了後、上述したようにカバー固定ねじ９８で締め付ける。その際、筐体４８及びカバー７０に設けられたケーブル導入穴のテーパ部により、ずれなくカバー固定ねじ９８を締め付けることができる。
【００３７】
ゴムブッシュアセンブリ７８，８６は、この締め付け力により筐体底面部に押し付けられる。また、ゴムブッシュアセンブリ７８，８６のリング部８２，９０が圧縮されてケーブル導入穴に密着するため、気密を得るための防水性能を満足することができる。
【００３８】
次に図１７乃至図２０を参照して結露防止構造について説明する。図１７に示すように、筐体４８は２個のバッテリー用ガス抜き穴１００を有しており、これらのガス抜き穴１００は防水シート１０２で覆われている。
【００３９】
本実施形態は図１８に示すようにカバー５２の内面に一対のシールロッド１０４を取り付けたものである。シールロッド１０４はゴムから形成されており、図１９に示すように上側ロッド１０４ａと下側ロッド１０４ｂとから構成される。
【００４０】
上側ロッド１０４ａの穴１０６中に下側ロッド１０４ｂの突起１０８を嵌合することにより、上側ロッド１０４ａと下側ロッド１０４ｂが一体化されたシールロッド１０４を得ることができる。
【００４１】
シールロッド１０４は防水シート１０２よりも大きな直径を有している。図２０（Ａ）に示すように、筐体内にバッテリーが収容されていない時には、各シールロッド１０４がガス抜き穴１００を押さえ、気密構造を得ることができる。
【００４２】
図２０（Ｂ）に示すように、バッテリー１４が筐体内に内蔵されているときには、シールロッド１０４から下側ロッド１０４ｂを取り外し、上側ロッド１０４ａでバッテリー１４を押さえるようにする。
【００４３】
【発明の効果】
本発明の屋外設置型通信装置の筐体構造は以上詳述したように構成したので、設置工事の如何に係わらず確実な防水性能を維持できると共に、装置非使用時の装置内部の結露を十分に抑制することができる。
【図面の簡単な説明】
【図１】窓カバーを開けた状態の従来例斜視図である。
【図２】窓カバーを閉じた状態の従来例斜視図である。
【図３】従来のパッキン取り付け説明図である。
【図４】表面側のケーブル導入を示す斜視図である。
【図５】裏面側のケーブル導入を示す斜視図である。
【図６】図６（Ａ）はケーブル導入部の平面図であり、図６（Ｂ）は図６（Ａ）の６Ｂ−６Ｂ線断面図である。
【図７】従来のケーブル導入作業説明図である。
【図８】従来のケーブル導入部分断面図である。
【図９】本発明実施形態の分解斜視図である。
【図１０】パッキン取り付けを説明する斜視図である。
【図１１】図１１（Ａ）は図１０のＡ部分拡大図であり、図１１（Ｂ）は環状パッキンを取り付けた状態の拡大図である。
【図１２】ケーブル導入を示す実施形態斜視図である。
【図１３】実施形態のケーブル導入作業説明図である。
【図１４】実施形態のケーブル導入部の平面図である。
【図１５】図１５（Ａ）は図１４の１５−１５線断面図であり、図１５（Ｂ）は通信ケーブルを挿入した状態の断面図である。
【図１６】図１６（Ａ）は図１４の１６−１６線断面図であり、図１６（Ｂ）は電源ケーブルを挿入した状態の断面図である。
【図１７】実施形態の筐体断面図である。
【図１８】ガス抜き穴のシール構造を示す斜視図である。
【図１９】シールロッドの構造を示す図である。
【図２０】図２０（Ａ）はガス抜き穴のシール構造断面図であり、図２０（Ｂ）はバッテリー内蔵時の断面図である。
【符号の説明】
１４  バッテリー
３０  電源ケーブル
３４  通信ケーブル
４８  筐体
５０  カバーアセンブリ
５２  カバー
５４  サンシェード
５６  環状パッキン
５８  係合突起
６０  環状溝
６２  切欠
７８，８６  筒状ゴムブッシュアセンブリ
【図１】
0003888507.tif 000002
【図２】
0003888507.tif 000003
【図３】
0003888507.tif 000004
【図４】
0003888507.tif 000005
【図５】
0003888507.tif 000006
【図６】
0003888507.tif 000007
【図７】
0003888507.tif 000008
【図８】
0003888507.tif 000009
【図９】
0003888507.tif 000010
【図１０】
0003888507.tif 000011
【図１１】
0003888507.tif 000012
【図１２】
0003888507.tif 000013
【図１３】
0003888507.tif 000014
【図１４】
0003888507.tif 000015
【図１５】
0003888507.tif 000016
【図１６】
0003888507.tif 000017
【図１７】
0003888507.tif 000018
【図１８】
0003888507.tif 000019
【図１９】
0003888507.tif 000020
【図２０】
0003888507.tif 000021